(57)【要約】【課題】容易な構成でシンボルマークを立体的に見せることができる回転リールを提供する。【解決手段】遊技機の表示装置に用いられるリールテープを、多数の微小領域からなる背景図柄と前記背景図柄に囲繞された少なくとも１つのシンボルマークとからなる描画パターンを表面に有するベース層と、前記ベース層の前記表面に接合されたマイクロレンズフィルム層と、によって構成する。また、遊技機の表示装置に用いられる回転リールを、円筒状の回転体と、前記回転体の円筒面上に形成された描画パターン層と、前記描画パターン層の少なくとも一部を覆うマイクロレンズフィルムと、によって構成する。さらに、同軸上に回転自在に並置された３つの回転リールを含み、表示部に所定の図柄を表示する遊技機の表示装置を、前記回転リールの少なくとも１つが、円筒状の回転体と、前記回転体の円筒面上に形成された描画パターン層と、前記描画パターン層の少なくとも一部を覆うマイクロレンズフィルムと、によって構成する。【選択図】  図５
2004222950.tif 000002
【特許請求の範囲】
【請求項１】
遊技機の表示装置に用いられるリールテープであって、
多数の微小領域からなる背景図柄と前記背景図柄に囲繞された少なくとも１つのシンボルマークとからなる描画パターンを表面に有するベース層と、
前記ベース層の前記表面に接合されたマイクロレンズフィルム層と、
を含むことを特徴とするリールテープ。
【請求項２】
前記マイクロレンズフィルム層が、前記組合せパターンの少なくとも１つのみを覆っていることを特徴とする請求項１記載のリールテープ。
【請求項３】
前記背景図柄が、前記シンボルマークと重畳していることを特徴とする請求項１又は２記載のリールテープ。
【請求項４】
前記マイクロレンズフィルム層が、前記ベース層の前記表面に貼着されていることを特徴とする請求項１、２又は３記載のリールテープ。
【請求項５】
前記マイクロレンズフィルム層が、複数の小領域の集合であることを特徴とする請求項１、２、３又は４記載のリールテープ。
【請求項６】
前記ベース層の裏面に透過率調整層が設けられていることを特徴とする請求項１、２、３、４又は５記載のリールテープ。
【請求項７】
遊技機の表示装置に用いられる回転リールであって、
円筒状の回転体と、
前記回転体の円筒面上に形成された描画パターン層と、
前記描画パターン層の少なくとも一部を覆うマイクロレンズフィルムと、を含むことを特徴とする回転リール。
【請求項８】
前記マイクロレンズフィルムが、前記描画パターン層内の単位パターン領域の少なくとも１つのみを覆っていることを特徴とする請求項７記載の回転リール。
【請求項９】
前記マイクロレンズフィルム層が、前記描画パターン層上に貼着されていることを特徴とする請求項７又は８記載の回転リール。
【請求項１０】
前記描画パターン層の裏面に透過率調整層が設けられていることを特徴とする請求項７、８、又は９記載の回転リール。
【請求項１１】
同軸上に回転自在に並置された３つの回転リールを含み、表示部に所定の図柄を表示する遊技機の表示装置であって、前記回転リールの少なくとも１つが、
円筒状の回転体と、
前記回転体の円筒面上に形成された描画パターン層と、
前記描画パターン層の少なくとも一部を覆うマイクロレンズフィルムと、を含むことを特徴とする表示装置。
【請求項１２】
前記マイクロレンズフィルム層が、前記描画パターン層内の単位パターン領域の少なくとも１つのみを覆っていることを特徴とする請求項１１記載の表示装置。
【請求項１３】
前記マイクロレンズフィルム層が、前記描画パターン層上に貼着されていることを特徴とする請求項１１又は１２記載の表示装置。
【請求項１４】
前記描画パターン層の裏面に透過率調整層が設けられていることを特徴とする請求項１１、１２又は１３記載の表示装置。
【発明の詳細な説明】
【０００１】
【発明の属する技術分野】
本発明は、スロットマシン等の遊技機の表示装置に関連し、さらに詳しくは、遊技機の表示部に各種図形、模様及び文字などの図柄（シンボルマーク）を表示する表示装置に関する。
【０００２】
【従来の技術】
遊技機の表示装置として、例えば、同軸上に回転自在に並置された３つの円筒状回転リールを含む表示装置が知られている。この表示装置は、遊技機の正面部中央付近に設けられた表示部と、表示部を通して図柄を表示する回転リール構造と、回転リール構造を制御する制御部とを有する。表示部は矩形状の枠に取り付けられた透明な平板であり、この平板は、例えば、ガラス、プラスチック又はアクリル等から作られている。回転リール構造は、３つの円筒状の回転部と、これら回転部の回転体を回転自在に支持するリール支持枠体とを有する。各回転部は、中心部に回転軸を有する回転体と、回転軸を回転させる（すなわち回転体を回転させる）モータと、回転体の外周部に巻着されるリールテープとを含む。３つの回転体は、制御部によって制御された３つのモータによって同一の円周方向にそれぞれ独立して回転可能となっている。これら３つの回転部は、リール支持枠体内に設けられており、リール支持枠体は遊技機の筐体内部に固定される。制御部は、遊技者からの入力信号（ボタン等を押すことにより発生する信号）を処理してモータに制御信号を送ることによって、各回転体をそれぞれ独立して回転及び停止させる。リールテープは、その表面に各種図形、模様及び文字などの図柄（シンボルマーク）を有し、回転体の円周部全周を覆うように巻着されている。各リールテープには、シンボルマークがほぼ等間隔に設けられており、制御部からの信号によって回転体が停止したとき、リールテープ上の所定数（例えば３つ）のシンボルマークが表示部から見えるようになっている。３つの回転体が全て停止すると、遊技者には縦横３つずつ（３×３）に配置された９つのシンボルマークが表示部に見える。
【０００３】
スロットマシン等の遊技機では、遊技機の表示装置の表示部に表示されるシンボルマークを見やすくかつ際立つようにすべく、リールテープに対して内側からバックライトを照射する等の工夫がなされている。
さらに、シンボルマークに立体感を与えて視覚的効果を高めるために、リールテープのシンボルマーク部をシートの他の部分より突出させて立体的に構成すること（例えば、実用新案文献１参照。）や、シンボルマークが浮き上がって見えるような特定の背景図柄を配すること（例えば、特許文献１参照。）等が知られている。
【０００４】
【実用新案文献１】
実開昭６２−９０６８５号（第１図）
【０００５】
【特許文献１】
特開平８−３０８９８１号（第２図及び第３図）
【０００６】
【発明が解決しようとする課題】
しかし、シンボルマークを立体的に形成する場合、リールテープのシンボルマーク部を裏側からその形状に合わせて押圧する等の付加的な製造工程が必要となってしまう。また、特定の背景図柄を配する場合、リールテープ上の特定のシンボルマークとそのまわりの領域にのみ特定の背景図柄を印刷する等の措置が必要となり、工程の増加に伴うコストアップが避けられないという課題があった。
【０００７】
本発明は、かかる課題に鑑みてなされたものであり、容易な構成でシンボルマークを立体的に見せることができる回転リールを提供することを目的とする。
【０００８】
【課題を解決するための手段】
請求項１記載の遊技機の表示装置に用いられるリールテープは、多数の微小領域からなる背景図柄と前記背景図柄に囲繞された少なくとも１つのシンボルマークとからなる描画パターンを表面に有するベース層と、前記ベース層の前記表面に接合されたマイクロレンズフィルム層と、を含むことを特徴とする。
【０００９】
請求項２記載のリールテープは、前記マイクロレンズフィルム層が、前記組合せパターンの少なくとも１つのみを覆っていることを特徴とする。
請求項３記載のリールテープは、前記背景図柄が、前記シンボルマークと重畳していることを特徴とする。
請求項４記載のリールテープは、前記マイクロレンズフィルム層が、前記ベース層の前記表面に貼着されていることを特徴とする。
【００１０】
請求項１ないし４記載のリールテープによれば、シンボルマークを囲繞する背景図柄がシンボルマークに対して遠ざかって見えるようになり、これによってシンボルマークが立体的に浮き上がって見える。
請求項５記載のリールテープは、前記マイクロレンズフィルム層が、複数の小領域の集合であることを特徴とする。
請求項５記載のリールテープによれば、前記マイクロレンズフィルム層は、複数の小領域（マイクロレンズフィルム領域）の集合である。この場合、隣接する小領域と小領域との間にはレンズ層が形成されていない領域があり、これによって、レンズ層の設けられた領域のシンボルマークのみ立体的に浮き上がって見える。
【００１１】
請求項６記載のリールテープは、前記ベース層の裏面に透過率調整層が設けられていることを特徴とする。
請求項６記載のリールテープによれば、前記ベース層の裏面に透過率調整層が設けられている。透過率調整層により、ベース層を透過する光を制限（調整）することができ、光の透過量が多い部分が強調されて見える。
【００１２】
請求項７記載の遊技機の表示装置に用いられる回転リールは、円筒状の回転体と、前記回転体の円筒面上に形成された描画パターン層と、前記描画パターン層の少なくとも一部を覆うマイクロレンズフィルムと、を含むことを特徴とする。
【００１３】
請求項８記載の回転リールは、前記マイクロレンズフィルムが、前記描画パターン層内の単位パターン領域の少なくとも１つのみを覆っていることを特徴とする。
請求項９記載の回転リールは、前記マイクロレンズフィルム層が、前記描画パターン層上に貼着されていることを特徴とする。
【００１４】
請求項７ないし９記載の回転リールによれば、シンボルマークを囲繞する背景図柄がシンボルマークに対して遠ざかって見えるようになり、これによってシンボルマークが立体的に浮き上がって見える。
請求項１０記載の回転リールは、前記描画パターン層の裏面に透過率調整層が設けられていることを特徴とする。
【００１５】
請求項１０記載の回転リールによれば、前記ベース層の裏面に透過率調整層が設けられている。透過率調整層により、ベース層を透過する光を制限（調整）することができ、光の透過量が多い部分が強調されて見える。
請求項１１記載の遊技機の表示装置は、同軸上に回転自在に並置された３つの回転リールを含み、表示部に所定の図柄を表示するものであり、前記回転リールの少なくとも１つが、円筒状の回転体と、前記回転体の円筒面上に形成された描画パターン層と、前記描画パターン層の少なくとも一部を覆うマイクロレンズフィルムと、を含むことを特徴とする。
【００１６】
請求項１２記載の表示装置は、前記マイクロレンズフィルム層が、前記描画パターン層内の単位パターン領域の少なくとも１つのみを覆っていることを特徴とする。
請求項１３記載の表示装置は、前記マイクロレンズフィルム層が、前記描画パターン層上に貼着されていることを特徴とする。
【００１７】
請求項１１ないし１３記載の表示装置によれば、シンボルマークを囲繞する背景図柄がシンボルマークに対して遠ざかって見えるようになり、これによってシンボルマークが立体的に浮き上がって見える。
請求項１４記載の表示装置は、前記描画パターン層の裏面に透過率調整層が設けられていることを特徴とする。
【００１８】
請求項１４記載の表示装置によれば、前記ベース層の裏面に透過率調整層が設けられている。透過率調整層により、ベース層を透過する光を制限（調整）することができ、光の透過量が多い部分が強調されて見える。
【００１９】
【発明の実施の形態】
以下に、本発明の実施例について添付図面を参照しつつ説明する。
図１は、本発明の実施例である遊技機の表示装置に用いられる回転リール構造１０を示している。回転リール構造１０は、３つの円筒状の回転部１２Ａ、１２Ｂ及び１２Ｃと、これら回転部を支持するリール支持枠体１１とを有する。回転部１２Ａ、１２Ｂ及び１２Ｃの回転体２２（図２参照）は、回転体中心線１３を回転軸とし、回転部１２Ａ、１２Ｂ及び１２Ｃは、この軸１３に沿って配置されている。各回転部は、制御部（図示せず）と電気的に接続されており、この制御部によって回転体２２（図２参照）が同一の円周方向にそれぞれ独立して回転可能となっている。３つの回転体２２の支持体２４（図２参照）が、各々が独立して又は一体となってリール支持枠体１１にねじ１４によって固定されている。なお、この回転部１２Ａ、１２Ｂ及び１２Ｃの支持体２４とリール支持枠体１１との固定は、例えばリベット等の他の結合方法を用いることもできる。リール支持体１１は回転部１２Ａ、１２Ｂ及び１２Ｃを支持しつつ遊技機の筐体内部に固定される。
【００２０】
図２は、図１で示された回転部１２Ａを分解した状態を示している。他の回転部１２Ｂ及び１２Ｃは、回転部１２Ａとほぼ同一の構造であるため、ここでは回転部１２Ａのみについて説明する。回転部１２Ａは、円筒状の回転体２１と、回転体の外周部２１Ａに巻着されるリールテープ２２と、回転体２１を回転させるモータ２３と、モータを支持する支持体２４とを含む。回転体２１は、外周部２１Ａと、中央に回転軸穴を有する中央部２１Ｂと、外周部２１Ａ及び中央部２１Ｂに結合する複数のアーム２１Ｃとを含む。モータ２３の回転軸２３Ａが中央部２１Ｂの回転軸穴に貫通固定される。これによって、中央部２１Ｂすなわち回転体２１は、モータ２３の動作と同期して回転及び停止する。
【００２１】
支持体２４は、バックライト部２５と、フォトカプラ２６とを含む。バックライト部２５は、１つ又は複数のライトを有し、リールテープ２２に描かれたシンボルマークを裏側から照射することによって、遊技者が矢印２７の方向から表示部を見たとき、シンボルマークをより見やすくしている。フォトカプラ２６は、光学センサを内蔵しており、回転体２１の現在位置を特定する位置センサとして用いられる。支持体２４は、ねじ１４によって図１に示されたリール支持体１１に固定される。また、支持体２４には、遮蔽板１５が設けられている。これは、回転部１２Ａを支持体２４に取付けたときに、遊技機内部が遊技者から見えないようにするためのものである。
【００２２】
図３は、図２で示されたリールテープ２２の一例を示している。リールテープ２２には、例えば３１Ａ〜３１Ｆのような複数種類のシンボルマークと、背景図柄３２とが設けられている。以降の説明のために、複数のシンボルマークのうちの１つに対応する領域を単位パターン領域３３と定義する。図中の背景図柄３２は、マイクロレンズフィルム層４２（後述）を用いて（介して）実際に目視できる程度の大きさに拡大された状態を示している。シンボルマーク３１Ａ〜３１Ｆは、所定の順序でリールテープ２２上にほぼ等間隔で設けられており、特定のシンボルマーク（例えば数字の７）が複数設けられている。なお、シンボルマークの配置順序や配置個数は任意に決めることができる。制御部からの信号によって回転体２１が停止したとき、リールテープ２２のうちの任意の３つの連続するシンボルマークが、表示部（図示せず）内に停止する。よって、図１のように３つの回転部１２Ａ〜１２Ｃが並列配置されている場合、９つのシンボルマークが、縦、横及び斜め方向に整列する。
【００２３】
図４及び図５は、図３で示されたリールテープ２２の単位パターン領域３３及びその近傍の構造を示している。リールテープ２２は、ベース層４１と、シンボルマーク３１Ａと、背景図柄３２と、透明なマイクロレンズフィルム層（偏光層）４２と、を含んでいる。シンボルマーク３１Ａ及び背景図柄３２は、ともにベース層４１に描画または印刷されている。シンボルマーク３１Ａと背景図柄３２とは、重ねて積層されても良い。またシンボルマーク３１Ａ及び背景図柄３２は、別の工程で作られた別々のシート層をベース層４１に積層する構造も取り得る。マイクロレンズフィルム層４２には、多数の微小な凸レンズ５１がアレイ状に一方の面に形成されている。マイクロレンズフィルム層４２は、シンボルマーク３１Ａ及び背景図柄３２を覆うようにベース層４１に積層され、例えば、接着剤等を用いて貼着される。また、図４における背景図柄３２は、マイクロレンズフィルム層４２を用いなければ、肉眼では見えない程度に微小な図柄である。
【００２４】
図５に示されているように、シンボルマーク３１Ａは、凸レンズ５１の直径に対して十分大きく、背景図柄３２は、凸レンズ５１の直径よりやや小さい。また、リールテープ２２は、図５に示されるように、ベース層４１の裏面に透過率調整層４３を有する場合もある。この透過率調整層４３は、リールテープ２２の裏面側からバックライト２５（図２）で照射した際に光の透過量を制限（調整）する。透過率調整層４３により、リールテープ２２の所定部分を他の部分より明るく（暗く）することができ、明るい部分はより際立って見える。透過率調整層４３は、ある特定の単位パターン領域３３（例えば数字７を含む単位パターン領域）のみに設けないようにしても良い。この場合、この特定の単位パターンは光を強く透過するため、透過率調整層４３を設けた他の部分より強調されて見える。また、図１に示すように３つの回転リールが並列に配置されている場合、特定のシンボルマークが横又は斜めに３つ揃ったときに強く光る部分が一列となるため、より強い印象を遊技者に与えることができる。
【００２５】
透過率調整層４３は、図５に示すように単位パターン領域３３の全域に設けられる場合の他に、例えば、シンボルマーク３１Ａのみ又は背景図柄３２のみ等の任意の部分のみに（不連続的に）設けても良い。また、透過率調整層４３は、リールテープ２２の特定のシンボルマークのみに設けても良いし、逆に特定のシンボルマーク（例えば４つの数字の７）のみに設けないようにしても良い。さらに、シンボルマークの一部分にのみ透過率調整層４３を設けないようにしても良い。例えば、数字の７のシンボルマーク内に別の文字を書き、この部分だけに透過率調整層４３を設けないようにしても良い。透過率調整層４３を設けない部分は、バックライト２５の光をそのまま透過するので、遊技者の目には強い光となって見え、よりシンボルマーク３１Ａが強調されて見える。
【００２６】
図４及び図５で示されたシンボルマーク３１Ａ及び背景図柄３２を組合せたものを描画パターンと称することもある。
図６は、図５の領域４４で示された部分における凸レンズ５１周辺の拡大図を示している。前述の通り、背景図柄３２は凸レンズ５１の直径よりやや小さい。従って、凸レンズ５１の中央部を点６１し、レンズの焦点を点６２とすると、遊技者から見える背景図柄３２は、実際の位置より後方に形成される虚像３３として見える。すなわち、背景図柄３２の両端点３２Ａ及び３２Ｂの像は、点６１と端点３２Ａ及び３２Ｂとを結ぶ線Ｌ１と、焦点６２と凸レンズ５１の中央線上の点５１Ａ及び５１Ｂとを結ぶ線Ｌ２との交点３３Ａ及び３３Ｂの位置に見える。よって、このマイクロレンズフィルム４２を透過して見た背景図柄３２の像は、拡大されかつ位置が遠ざかって見える。これに対して、レンズの直径より十分に大きいシンボルマーク３１Ａ（図５）の像は、ほぼ大きさ及び位置の変化がなく見える。その結果、これらの像が組み合わされると、背景図柄３２に対してシンボルマーク３１Ａが立体的に浮き上がったように（３次元的に）見える。なお、図５では、ベース層４１側に凸レンズ５１が形成されたマイクロレンズフィルム層４２が示されているが、マイクロレンズフィルム層４２の平坦面をベース層４１側に配置した場合においても、同様の効果が得られる。マイクロレンズフィルム層４２の平坦面をベース層４１側に配置すると、マイクロレンズフィルム層４２とベース層４１との接合が容易になる（強固になる）と考えられる。
【００２７】
以上のような構成を用いることによって、スロットマシン等の遊技機におけるリールテープのシンボルマークを、遊技者に対して立体的に見せることができる。これにより、シンボルマークの印象を際立たせることが可能となり、遊技者の当該遊技機への興味を誘引することが可能となる。なお、リールテープ全体にマイクロレンズフィルム層４２を設けなくても良い。すなわち、特に強調したいシンボルマークの単位パターン領域にのみマイクロレンズフィルム層４２を設けても良い。この場合、遊技者がその特定のシンボルマークを認識しやすくなり、かつ表示部において特定のシンボルマークが横又は斜めに３つ揃ったときに、シンボルマークがより一層強調されるため、ゲームを行いやすくすることも可能である。
【００２８】
また、本発明によるリールテープをパチンコ機の回転ドラム機に用いても良い。この場合においても、スロットマシンの場合と同様の効果を得ることができる。
【００２９】
【発明の効果】
以上のように、本発明によれば、スロットマシン等の遊技機の表示装置において、シンボルマークを容易な構成を用いて立体的に見せることが可能となる。また、特定のシンボルマークのみを強調することも可能である。
【図面の簡単な説明】
【図１】本発明の実施例の１つである、遊技機の表示装置に用いられる回転リール構造の斜視図である。
【図２】図１で示された回転リール構造の回転部を分解した斜視図である。
【図３】本発明の実施例で用いられるリールテープの代表例を示す平面図である。
【図４】図３で示されたリールテープの構造を示す斜視図である。
【図５】図３で示されたリールテープの拡大断面図である。
【図６】図５で示されたレンズ領域まわりの拡大図である。
【符号の説明】
１０  回転リール構造
１２Ａ、１２Ｂ、１２Ｃ  回転部
２１  リール
２２  リールテープ
３１Ａ  シンボルマーク
３２  背景図柄
４１  ベース層
４２  マイクロレンズフィルム層
４３  透過率調整層
【図１】
2004222950.tif 000003
【図２】
2004222950.tif 000004
【図３】
2004222950.tif 000005
【図４】
2004222950.tif 000006
【図５】
2004222950.tif 000007
【図６】
2004222950.tif 000008